(57)【特許請求の範囲】
【請求項１】
人の腕を支持するための整形器具（１０）であって、該整形器具を人の胴体に対して固定するための固定装置（１１）と、腕、特に前腕、肘、および／または、上腕をその腕に関連する人の肩に対して支持して固定するための位置決め装置（１２）とを備え、前記位置決め装置が前記固定装置によって支持され、前記固定装置が腹ストラップ装置（１３）と肩ストラップ装置（１４）とを備え、前記整形器具が人に対して配置されるときに前記腹ストラップ装置が胴体を水平面内で取り囲み、前記肩ストラップ装置がその腕と反対側の人の肩を越えて延びる整形器具（１０）において、
前記肩ストラップ装置は、肩ストラップ（２３）と、前記肩ストラップに接続される胸ストラップ（２２）とを備え、
前記胸ストラップ（２２）は、前記位置決め装置（１２）の前記先端部（２４）と前記腹ストラップ装置（１３）の前記腹側部分（２６）との間で延びて、前記位置決め装置（１２）の前記先端部（２４）および前記腹ストラップ装置（１３）の前記腹側部分（２６）に接続されており、
前記肩ストラップ（２３）は、前記位置決め装置（１２）の基端部（２９）と前記胸ストラップ（２２）との間で延びて、前記位置決め装置（１２）の基端部（２９）に接続されていることを特徴とする整形器具（１０）。
【請求項２】
前記肩ストラップ（２３）は、前記胸ストラップに沿って移動できるように、接続された胸ストラップ（２２）上に配置され得ることを特徴とする、請求項１に記載の整形器具。
【請求項３】
前記胸ストラップ（２２）が長さ調整できることを特徴とする、請求項１または２に記載の整形器具。
【請求項４】
前記胸ストラップ（２２）は、接続された前記腹ストラップ装置（１３）の腹ストラップ（１５）上に、前記腹側部分（２６）で前記腹ストラップに沿って移動できるように配置され得ることを特徴とする、請求項１から３のいずれか１項に記載の整形器具。
【請求項５】
前記位置決め装置（１２）は、前記腹ストラップ装置（１３）の側部（３３）に取り付けられる支持装置（３２）を備え、前記位置決め装置が腕載置部（２５）を備え、人の腕を前記腕載置部に固定でき、前記支持装置が接続装置（３８）によって前記腕載置部に接続されることを特徴とする、請求項１から４のいずれか１項に記載の整形器具。
【請求項６】
前記接続装置（３８）は、前記腕載置部（２５）が前記支持装置（３２）に対して解放可能な様式で固定され得るように形成されることを特徴とする、請求項５に記載の整形器具。
【請求項７】
前記腕載置部（２５）には、前記腕載置部の長手方向で前記腕載置部に対して移動できる手載置部（４２）が配置されることを特徴とする、請求項５または６に記載の整形器具。
【請求項８】
前記接続装置（３８）は、前記腕載置部（２５）が前記支持装置（３２）に対して移動できるように形成されることを特徴とする、請求項５から７のいずれか１項に記載の整形器具。
【請求項９】
前記接続装置（３８）と前記支持装置（３２）とによって直線ガイド（５０）が形成され、前記直線ガイドは、前記腕載置部（２５）の外転または内転が前記支持装置に対しておよび／または胴体の矢状面に対して可能であるように配置されることを特徴とする、請求項５から８のいずれか１項に記載の整形器具。
【請求項１０】
ガイド部が前記支持装置（３２）に適合可能であり、そのガイド位置によって前記直線ガイド（５０）が延ばされ得ることを特徴とする、請求項９に記載の整形器具。
【請求項１１】
前記接続装置（３８）は、前記腕載置部（２５）の回転が胴体の水平面内で可能であるように回転ガイド（５８）を形成することを特徴とする、請求項５から１０のいずれか１項に記載の整形器具。
【請求項１２】
前記回転ガイド（５８）は、前記支持装置（３２）に対するおよび／または胴体の矢状面に対する＋３０°から−３０°までの範囲内の回転を可能にすることを特徴とする、請求項１１に記載の整形器具。
【請求項１３】
前記肩ストラップ（２３）および前記胸ストラップ（２２）がそれぞれ前記腕載置部（２５）に対して取り外し可能に接続され得ることを特徴とする、請求項４から１１のいずれか１項に記載の整形器具。
【請求項１４】
前記接続装置（３８）は、前記腕載置部（２５）の傾動が前記支持装置（３２）に対しておよび／または胴体の水平面に対して可能であるように傾動ガイドを形成することを特徴とする、請求項５から１３のいずれか１項に記載の整形器具。
【請求項１５】
前記腕載置部（２５）の傾動は、前記肩ストラップ（２３）または前記胸ストラップ（２２）を調整することによって可能であることを特徴とする、請求項１４に記載の整形器具。
【請求項１６】
人の腕を支持するための整形器具（１０）の配置のための方法であって、前記整形器具が、該整形器具を人の胴体に対して固定するための固定装置（１１）と、腕を支持して固定するための位置決め装置（１２）とを備え、前記位置決め装置が前記固定装置によって支持され、前記固定装置が腹ストラップ装置（１３）と肩ストラップ装置（１４）とを備える、方法において、
腕が前記位置決め装置に固定され、前記腹ストラップ装置が胴体を水平面内で取り囲んで胴体に固定され、前記位置決め装置の基端部（２９）に接続される前記肩ストラップ装置の肩ストラップ（２３）は、その腕と反対側の人の肩を越えて引かれ、前記肩ストラップに接続されて前記腹ストラップ装置の腹側部分（２６）にヒンジ結合される前記肩ストラップ装置の胸ストラップ（２２）は、前記位置決め装置の先端部（２４）に接続されることを特徴とする方法。
【請求項１７】
腕は、前記胸ストラップの長さを調整することによって釣り合わされることを特徴とする、請求項１６に記載の方法。
【発明の詳細な説明】
【技術分野】
【０００１】
本発明は、人の腕を支持するための整形器具および整形器具の配置のための方法であって、整形器具が、該整形器具を人の胴体に対して固定するための固定装置と、腕、特に前腕、肘、および／または、上腕をその腕に対応する肩との関係で支持・固定するための位置決め装置とを備え、位置決め装置が固定装置によって支持され、固定装置が腹ストラップ装置と肩ストラップ装置とを備え、整形器具が人に装着されるときに、腹ストラップ装置が胴体を水平面内で取り囲み、肩ストラップ装置がその腕と反対側の肩を越えて延びるような整形器具および整形器具の配置のための方法に関する。
【背景技術】
【０００２】
この種の整形器具は、人の肩あるいは肩関節を安定させ、楽にさせ、固定し、案内し、または、補正する役目を果たす。そのため、整形器具の位置決め装置は、常に、それぞれの肩に対応する腕をその肩に対して固定するように、または例えば肩を安定させるために、または肩の位置異常を治療するために腕の可動性を制限するように形成される。腕は、通常、少なくとも一部が前腕に沿って延びる腕載置部によって固定される。また、既知の整形器具は、位置決め装置を各人の胴体に接続するのに役立つ固定装置を備える。固定装置は通常はベルトまたはストラップにより形成され、ベルトまたはストラップは、各人の人体比率に合わせて調整することができるとともに、位置決め装置を固定する。すなわち、人の腕が固定された腕載置部を、所望の位置で胴体に固定、および／または胴体から所定の位置に固定する。
【０００３】
この種の整形器具を用いて治療される人は、数週間という比較的な長い時間にわたって整形器具を着用しなければならないことが良くあるため、整形器具を自分自身によって容易に取り扱えること、および、人の日常生活ができるだけ制約されないことが必要である。特に、人の身体上を延びるストラップまたはベルトは、しばしば、煩わしいと考えられる。例えば、夜間に床についている間も整形器具を着用しなければならない場合、ベルトまたはストラップは、動きの自由をかなり制限し、不快な圧痕を人の身体にもたらす場合がある。また、整形器具は、例えば着替えのために、他人の助けがなければ各人が整形器具を脱いだり、再び身に着けたりすることができないような構成となっている場合もある。これは、特に、治療される肩と関連する腕を使用できず、したがって、整形器具の配置を片手でしか行なうことができない場合に、このようなことが起こる。同じことは、固定されるべき腕の位置を変えることを目的とする整形器具の位置調整装置にも当てはまる。
【発明の概要】
【発明が解決しようとする課題】
【０００４】
したがって、本発明の目的は、より快適に使用可能な、人の腕を支持するための整形器具およびそのような整形器具の配置方法を提案することである。
【課題を解決するための手段】
【０００５】
この目的は、請求項１の特徴を有する装置によって、および、請求項１８の特徴を有する方法によって達成される。
【０００６】
本発明は、人の腕を支持するための整形器具に関し、この整形器具は、該整形器具を人の胴体に対して固定するための固定装置と、腕、特に前腕、肘、および／または、上腕をその腕に対応する肩に対して支持して固定するための位置決め装置とを備え、位置決め装置が固定装置によって支持され、固定装置が腹ストラップ装置と肩ストラップ装置とを備え、整形器具が人に対して配置されるときに腹ストラップ装置が胴体を水平面内で取り囲み、肩ストラップ装置がその腕と反対側の人の肩を越えて延び、肩ストラップ装置は、肩ストラップと、前記肩ストラップに接続される胸ストラップと、を備え、前記ストラップは、位置決め装置の先端部および基端部と腹ストラップ装置の腹側部分とに対してヒンジ結合される。
【０００７】
結果として、固定装置は、腹ストラップ装置、肩ストラップ、および、胸ストラップを備える。腹ストラップ装置は、人に対して配置される整形器具が腹または腰の領域で人の胴体をほぼ取り囲むように形成される。また、腹ストラップ装置は、位置決め装置が胴体上に配置されるように、位置決め装置に接続される。肩ストラップは、位置決め装置の基端部にヒンジ結合されるとともに、背中を斜めに横切って、固定された腕とは反対側の肩を越えて、少なくとも胴体の前側へと延びる。肩ストラップ装置は、肩ストラップと胸ストラップまたは胸ストラップだけにより形成される２つの帯状部分が、人の胸の領域まで延びている。帯状部分の一方は位置決め装置の先端部にヒンジ結合され、また、帯状部分の他方は腹ストラップ装置の腹側部分にヒンジ結合される。それぞれのストラップのこの配置によって、結び接続またはバックルを伴うことなく肩ストラップが背中の領域に延びるという特別の利点がもたらされる。また、それぞれの肩の反対側の腕の下側に、他のストラップまたはベルトは必要とされない。
【０００８】
更に、位置決め装置の先端部に対する肩ストラップ装置の接続は、肩ストラップ装置に張力を付与することができ、したがって、位置決め装置または腕載置部を引張って胴体へと近づけることができる。腹ストラップ装置の腹側部分に対する肩ストラップ装置の接続は、胸領域における胸ストラップおよび肩ストラップの経路に有益な影響を及ぼす。これは、整形器具が女性の人によって着用されるようになっている場合に特に重要である。彼女達は、しばしば、胸を横切って延びるストラップが煩わしいと考えるからである。また、肩ストラップ装置の前述した構造により、他の人の助けを必要とせずに、整形器具を簡単に片手により身に着けるかまたは脱ぎ去ることができる。
【０００９】
１つの実施形態として、胸ストラップは、位置決め装置の先端部と腹ストラップ装置の腹側部分との間で延びている構成とすることができる。このようにすると、肩ストラップを人の胸の領域で胸ストラップにヒンジ結合することができる。例えば、帯状部分の長さ変化に対応して、肩ストラップと胸ストラップの接続部を、胸領域の肩ストラップ装置が煩わしく感じないような位置に、配置することができる。
【００１０】
更に、肩ストラップが、位置決め装置の基端部と胸ストラップとの間で延びている構成とすることもできる。肩ストラップまたは胸ストラップの長さを調整することにより、位置決め装置の先端と基端との間の肩ストラップ装置のストラップ長さに影響を与えることが可能になる。
【００１１】
肩ストラップが、胸ストラップに沿って移動できるように、接続された胸ストラップ上に配置されれば、特に有益である。このようにすると、まず、固定された腕とは反対側の肩を超えるように肩ストラップを配置すれば、整形器具を片手で特に容易に配置できる。これは、ジャケットのように肩ストラップへ滑り込むことにより行なうことができる。肩ストラップは胸ストラップ上を移動でき、肩ストラップ装置には未だ張力がかけられていないため、肩ストラップをより簡単に装着することができる。肩ストラップが配置されると、胸ストラップを位置決め装置の先端部に接続することができる。片手で行なうことができるこの接続により、肩ストラップに張力がかけられる。それに対応して、胸ストラップを長さ調整できる。
【００１２】
また、胸ストラップが、接続された腹ストラップ装置の腹ストラップ上を、腹側部分で腹ストラップに沿って移動できるように構成されると、胸領域における胸ストラップまたは肩ストラップの経路を効果的に調整することができる。その場合、胸ストラップあるいは胸ストラップが腹ストラップに対して接続される位置を、腹ストラップに沿って移動させることができる。このようにすると、胴体の周長または人の腹の周長にかかわりなく、したがって、腹ストラップの長さとは無関係に、胸ストラップを移動によって常に腹側部分の中央領域内に、または胴体の矢状面内に配置できるため、整形器具を普遍的に使用することができる。
【００１３】
位置決め装置は、腹ストラップ装置の側部に取り付けられる支持装置を備えることができ、また、位置決め装置は腕載置部を更に備えることができ、その場合、人の腕を腕載置部に固定でき、支持装置を接続装置によって腕載置部に接続することができる。支持装置が腹ストラップ装置の側部に取り付けられれば、支持装置は、曲がった前腕のほぼ真下に位置される。例えば、支持装置をプレート状に形成することができ、支持装置を実質的に水平面内で腹ストラップ装置に取り付けることができる。支持装置および腹ストラップ装置は、腹ストラップ装置に一体形成されるか、または腹ストラップ装置に取り付けられたフランジからなる接続要素によって接続され得る。位置決め装置の腕載置部は、人の腕を容易な様式で腕載置部に固定できるように構成され得る。例えば、腕載置部は、それぞれの腕を少なくとも部分的に受け入れるレールの様式、または桶形状要素として形成され得る。このようにすると、腕載置部は、肘を受け入れることもでき、したがって、腕を腕載置部内で所定の位置に位置決めすることができる。好ましくは、腕載置部はベルトまたはストラップを備えることもでき、このベルトまたはストラップにより、前腕および／または上腕を容易に腕載置部に固定できる。また、想定し得る圧痕を回避するために腕載置部がパッドを有することも可能である。接続装置は腕載置部を支持装置に接続することができ、この場合、接続装置を腕載置部と支持装置とによって直接に形成することができる。しかしながら、接続装置は、腕載置部と支持装置との間に配置される自律的な構成要素またはモジュールとなることもできる。
【００１４】
好ましくは、接続装置は、腕載置部を支持装置に対して解放可能な様式で固定できるように形成され得る。支持装置は、主に、腹ストラップ装置を介して胴体に固定され、胴体に対する位置がセットされるため、腕載置部を、すなわち対応する腕を胴体に対して所望の位置に方向付けて固定することができる。また、解放および固定の繰り返しが可能であるとともに片手での操作が容易な固定装置が設けられるのが好ましい。
【００１５】
腕載置部には、腕載置部の長手方向に移動できる手載置部が配置されてもよい。これにより、特に腕を曲げた姿勢において、その腕の手の部分を手載置部によって支持することができる。手載置部が移動できることにより、手載置部を個々の腕の長さに合わせて更に調整することができる。例えば、手載置部を腕載置部の長手方向ガイド内に固定することができ、また、腕載置部の長手方向で片手により操作できる係止要素によって手載置部を解放し、移動させ、および、固定することができる。
【００１６】
接続装置は、腕載置部が支持装置に対して移動できるように形成することができる。この構成により、腕載置部が支持装置に対して取り付けられた状態で、所定の制限内で腕を移動させることができるという利点を得ることができる。このようにすると、例えば腕の限られた動きによって、また、その動きが処置されるべき肩に危害を加えることなく、特定の一群の筋肉を訓練することができる。また、このとき、一方では、腕を完全に固定することができ、他方では、自分の判断により、訓練目的で、接続装置によって規定される移動方向に腕を動かすことができる。
【００１７】
この方法では、接続装置と支持装置とによって直線ガイドを形成することができ、この場合、直線ガイドを、支持装置に対しておよび／または胴体の矢状面に対して、腕載置部を外転または内転させることができるように構成しても良い。その結果、上腕を胴体に対して曲げることができ、または伸ばすことができ、したがって、腕載置部が支持装置に対して略直線的に移動する。このとき、腕の動きの制限が直線ガイドによって引き起こされるため、胴体の前額面に対する腕の動きは不可能である。
【００１８】
直線ガイドを伸長できるように構成する必要がある場合には、指示装置にガイド部を設けることができ、このガイド部によって直線ガイドを伸長させることができる。支持装置が例えばプレートの様式で形成される場合には、他のプレートを支持装置に容易に取り付けることができ、前記プレートにより、支持装置、したがって直線ガイドを延びる。例えば、直線ガイドを支持装置の凹部として、またはスロット形状通過穴として形成することができる。また、係止突起を直線ガイドに形成することができ、これらの係止突起により接続装置を所望の位置で係止させることができ、したがって、接続装置を固定することができる。
【００１９】
また、接続装置が回転ガイドを形成することができ、この回転ガイドによって腕載置部の回転が胴体の水平面内で可能にされる。その結果、腕載置部を胴体の矢状面と平行に、または該矢状面の方向に向ける必要がなく、腕載置部を矢状面に対して異なる角度位置に固定する必要がありおよび／または腕載置部を所定の制限内で移動させる必要がある。直線ガイドを用いる場合と同様に、それぞれの腕の適切な位置決め・固定および一群の筋肉の訓練は、回転ガイドを用いて可能になる。
【００２０】
好ましくは、回転ガイドは、支持装置に対するおよび／または胴体の矢状面に対する＋３０°から−３０°までの範囲内の回転を許容できる。また、例えば５°の特定の角度ステップで腕載置部の係止、したがって固定を可能にする係止要素が回転ガイドに形成されてもよい。
【発明の効果】
【００２１】
胴体に対する腕載置部の安定した位置を確保すると同時に簡単な取り扱いを確保するために、肩ストラップおよび胸ストラップをそれぞれ腕載置部に対して取り外し可能な様式で接続することができる。その結果、更にまた、肩ストラップを腕載置部の基端部に取り付けることができるとともに、胸ストラップを腕載置部の先端部に取り付けることができる。分離できる取り付けは、単にフック、バックル、または、プラグ接続によって実現できる。このようにすると、整形器具を配置する際に胸ストラップを片手で腕載置部に容易に接続できる。また、この場合、腕の重さは、その腕とは反対側の肩に直接にかけわたされる肩ストラップ装置によって支えられる。
【００２２】
これに関しては、支持装置に対しておよび／または胴体の水平面に対して、腕載置部の傾動が可能であるように接続装置に傾動ガイドを形成する場合も有益となり得る。これにより、前腕を水平面に対して所定の角度で傾けるか、または曲げるか、または伸ばすことができる。したがって、傾動ガイドは、所定の制限内での前腕の動き、または、前腕の所望位置の調整の向上を可能にする。
【００２３】
腕載置部の傾動は、肩ストラップまたは胸ストラップの調整によって可能にされ得る。このようにすると、水平面に対する前腕の位置を簡単な方法で確定的に設定できるとともに個々の身体寸法に適合させることができる。
【００２４】
人の腕を支持するための整形器具の配置のための本発明に係る方法において、整形器具は、該整形器具を人の胴体に対して固定するための固定装置と、腕を支持して固定するための位置決め装置とを備え、位置決め装置が固定装置によって支持され、また、固定装置が腹ストラップ装置と肩ストラップ装置とを備え、腕が位置決め装置に固定され、腹ストラップ装置が胴体を水平面内で取り囲みつつ胴体に固定され、位置決め装置の基端部に接続される肩ストラップ装置の肩ストラップは、その腕と反対側の人の肩を越えて引かれ、また、肩ストラップに接続されて腹ストラップ装置の腹側部分にヒンジ結合される肩ストラップ装置の胸ストラップは、位置決め装置の先端部に接続される。
【００２５】
特に、肩ストラップおよび胸ストラップの形態とそれらのストラップの腹ストラップ装置および位置決め装置に対する取り付けとに起因して、整形器具を片手により特に容易な様式で身に着けて脱ぎ去ることが、整形器具により支持される腕が必要とされることなく可能になる。これは、特に、胸ストラップを最大限に延ばすことができ、したがって、人が自分の上半身を滑り通すことができる可能な限り大きいループを胸ストラップが形成するということにより達成することができる。
【００２６】
また、腕は、胸ストラップの長さを調整することによって釣り合わせることもできる。このことは、腕が滑ることなく安全に腕載置部上に載置するように腕の重心または肩−腕系の重心が位置されるべく腕または腕載置部が配置され、または釣り合うように胸ストラップの長さを設定するか、または調整できることを意味する。腕載置部は、特に水平に配置することができる。
【００２７】
また、本発明に係る整形器具の利点の説明を参照する。方法の有利な実施形態は、装置請求項１に戻って参照する従属請求項によってもたらされる。
【００２８】
以下、添付図面を参照して、本発明の好ましい実施形態を更に詳しく説明する。
【図面の簡単な説明】
【００２９】
【図１】整形器具の斜視図を示す。
【図２】整形器具を左から見た側面図、すなわち、矢状面（サジタル面）の図で示す。
【図３】正面図、すなわち、前額面の図で整形器具を示す。
【図４】背面図、すなわち、前額面の図で整形器具を示す。
【図５】平面図、すなわち、水平面の図で整形器具を示す。
【図６】下から見た図、すなわち、水平面の図で整形器具を示す。
【図７】整形器具の支持装置を斜視図で示す。
【図８】整形器具の支持装置を平面図で示す。
【発明を実施するための形態】
【００３０】
図１〜図６は、整形器具１０の一実施形態を異なる視点で示している。整形器具１０は、それが人の胴体（図示せず）上に配置された状態、すなわち、人の上に置かれたように示されている。整形器具１０は、実質的に、固定装置１１と位置決め装置１２とから構成され、固定装置１１は、人の胴体上に整形器具１０を固定する役目を果たし、また、位置決め装置１２は、人の腕（図示せず）をその腕とつながっている肩に対して支持して固定する役目を果たす。固定装置１１は、人の胴体上に位置決め装置１２を支持する。固定装置１１は、さらに、腹ストラップ装置１３と肩ストラップ装置１４とを備えている。腹ストラップ装置１３は、薄い材料（ティッシュマテリアル）から形成される可撓性の腹ストラップ１５と、大部分が硬質材料からできた骨盤ストラップ１６とによって形成される。骨盤ストラップ１６は、部分的に可撓性のプラスチック材料から形成され、したがって、人の体形に適合できると同時に、位置決め装置１２を支持するための比較的硬い支持体となる。腹ストラップ１５は、一端部１７が骨盤ストラップ１６の端部１８に対して取り外しできないように固定されるとともに、フック状のバックル１９が腹ストラップの端部２０または骨盤ストラップ１６の端部２１に対して解放（リリース）可能な方式で接続される。また、フック状バックル１９を用いて腹ストラップ１５の長さを変えることができ、したがって、腹ストラップを異なる体のサイズに適合させることができる。
【００３１】
肩ストラップ装置１４は、実質的に、胸ストラップ２２と肩ストラップ２３とによって形成される。胸ストラップ２２は、位置決め装置１２の腕載置部２５の先端部２４に取り付けられるとともに、腹ストラップ１５の腹側部分２６へと延びる。胸ストラップ２２をバックル２７によって腕載置部２５の先端部２４に取り付けることができ、したがって、胸ストラップは長さ調整可能である。そのため、腕と腕載置部２５とのバランス調整も長さ調整機能により可能である。更に、胸ストラップ２２はバックル２８により腹ストラップ１５に接続され、この場合、バックル２８を腹ストラップ１５に沿って移動可能な方式で配置できる。したがって、常にバックル２８が、ほぼ胴体の矢状面（サジタル面）内に配置されるように調整できる。肩ストラップ２３は、バックル３０を用いて腕載置部２５の基端部２９に取り付けられるとともに、胸ストラップ２２に対してその腕と反対側の肩（図示せず）を越えて延び、また、肩ストラップは、バックル３１によって胸ストラップに接続される。肩ストラップ２３もバックル３０、３１を用いて長さ調整できる。また、バックル３１を用いて肩ストラップ２３を胸ストラップ２２に沿って移動させることができる。更に、バックル２７、２８、３０、３１は回転バックルとなっており、これにより、胸ストラップ２２および肩ストラップ２３の望ましくないねじれを元に戻せるように、バックルがそれら自体で回転することができる。
【００３２】
位置決め装置１２は、図７および図８に詳しく示されるような、腹ストラップ装置１３の側部３３、すなわち、骨盤ストラップ１６に取り付けられる支持装置３２を備える。支持装置３２は、実質的には、保持フランジ３５、３６を伴うプレート３４によって形成される。
【００３３】
保持フランジ３５、３６は骨盤ストラップ１６に対して直接に取り付けられるとともに、それぞれ１つのヒンジ３７を介してプレート３４に接続される。したがって、プレート３４を胴体の矢状面に対して上方または下方へ回動させることができる。更に、位置決め装置１２は接続装置３８を備え、この接続装置によって腕載置部２５をプレート３４または支持装置３２に対して取り付けることができる。ここで、図示の例において、腕載置部２５は、桶の形状を成して形成され、したがって、想定し得る最も大きい程度の前腕の形状まで適合可能である。腕載置部２５の基端部２９は、肘を位置決めできるように受け入れる閉じられた形状に形成される。また、腕載置部２５は複数の不揃いの貫通穴３９を備え、これらの貫通穴に起因して、腕載置部２５が部分的に可撓性を有する。更に、腕載置部２５内にパッド（図示せず）を挿入することが意図されており、パッドを載置することにより、それぞれの腕の快適な配置が可能となる。腕載置部２５は、その基端部２９に、上腕ストラップ４１を有するシェル延在部４０を更に備える。上腕ストラップ４１を用いて、腕載置部２５の長手方向に対して上腕および／または肘を固定できる。また、前腕を腕載置部２５に対して固定するための他のストラップ（図示せず）が腕載置部２５の先端部２４に設けられてもよい。腕載置部２５の先端部２４には、更に、腕載置部２５に対してその長手方向に移動することができる手載置部４２が配置されている。手載置部４２は、長手方向に移動可能な構成であり、腕載置部２５の直線ガイド４３内に受け入れられて保持される。図に示す例では、手載置部４２の係止鼻部４４を用いて、直線ガイド４３内に手載置部４２を部分的に係止し、固定することが可能である。そのため、手載置部４２の調整は、係止鼻部４４を押し込むと同時に手載置部４２を直線ガイド４３内で所望の位置へ移動させれば十分である。手載置部４２は、一体のプラスチック要素として形成され、手掌のための手掌載置面４５を有する。
【００３４】
肩ストラップ２３のバックル３０は、腕載置部２５の基端部２９に形成されるニップル４７に対してフックアイ４６により接続される。胸ストラップ２２のバックル２７は、腕載置部２５の壁部４９に対して先端部２４でフックアイ４８を用いて接続される。フックアイ４８が取り外されると、胸ストラップ２２は、基端部２９から腹側部分２６までの肩ストラップ装置１４の長さが最大限に延ばされるようにバックル３１を通ってスライドでき、それにより、整形器具１０を特に簡単な様式で脱ぎ去るか、または身に着けることができる。フックアイ４８を壁部４９に接続することにより、肩ストラップ装置１４に対して再び容易に張力をかけることができる。
【００３５】
接続装置３８は、腕載置部２５とプレート３４との間に配置される。接続装置３８は、プレート３４と共に、直線ガイド５０を形成する。その結果、長手方向凹部５１がプレート３４に形成され、長手方向凹部５１は、その側縁部５２に係止凹部５３の列を備える。接続装置３８は、長手方向凹部５１を通じて案内されるとともに、プレート３４の下面５５のクランプ要素５４を用いて縁部５２の背後と係合する。したがって、接続装置３８は、長手方向凹部５１の長手方向で移動され得るとともに、係止要素５６によってそれぞれの位置で固定され得る。係止要素５６は、接続装置３８の接続装置本体５７にヒンジ結合されており、手動操作によって係止凹部５３と係止できる。その結果、ここでは係止状態で示される係止要素５６は、接続装置本体５７を長手方向凹部５１に沿って自由に移動させることができるように係止凹部５３から離脱され得る。このようにすると、一方では、腕載置部２５を必要に応じて片手で調整して固定することができ、他方では、特定の一連の筋肉の訓練のために、腕載置部２５を支持装置３２に対して直線ガイド５０の方向で移動させることもできる。
【００３６】
接続装置３８は、接続装置本体５７のハブ５９と腕載置部２５の軸６０とによって実質的に形成される回転ガイド５８を更に備える。ハブ５９を発端とする接続装置本体５７の上側６１には、５°の角度間隔で係止鼻部６２が形成される。係止鼻部６２は、当接側面６３、６４によって制限される。そのため、腕載置部２５の移動は、当接側面６３、６４間の６０°の角度範囲内で可能である。その結果、腕載置部２５は、＋３０°〜−３０°の角度範囲内で胴体の矢状面に対して移動または回転できる。また、腕載置部２５の移動を特定の範囲に制限することができ、または完全に抑制することができる。これは２つの当接要素６５、６６によって達成される。当接要素６５、６６はそれぞれ回転できるようにハブ５９に支持され、また、これらの当接要素は、係止鼻部６２の範囲内においてハブ５９の周りで回動され得る。また、当接要素６５、６６は、係止鼻部６２との係止により、それらのそれぞれの位置で固定され得る。このとき、当接要素６５、６６は腕載置部２５の移動を制限する。当接要素６５、６６が互いに当接する場合には、腕載置部２５が固定されて、腕載置部２５をもはや回転させることができない。当接要素６５、６６は片手で調整できる。
【図１】
0006006333.tif 000002
【図２】
0006006333.tif 000003
【図３】
0006006333.tif 000004
【図４】
0006006333.tif 000005
【図５】
0006006333.tif 000006
【図６】
0006006333.tif 000007
【図７】
0006006333.tif 000008
【図８】
0006006333.tif 000009